(57)【要約】      （修正有）【課題】弁機構の固定効果が優れた排水装置の逆流防止構造を提供する。【解決手段】排水装置の逆流防止構造は、排水管、配管コネクタ、オイルシール、弁機構および環状パッドを備える。排水管は一端の内径が拡張されて形成した格納溝と、格納溝の底部に形成された底面とを有する。配管コネクタは配管コネクタを貫通する第二通路、固定部、連結部、格納部および嵌合溝を有する。弁機構は環状底部と、環状底部から上に伸びて形成された柱部と、柱部に環状に形成されたリブ状突起と、柱部の末端に形成された隙間とを有する。環状パッドは弁機構の柱部に被さり、弁機構の環状底部とリブ状突起との間に位置付けられる。弁機構はリブ状突起によって配管コネクタの嵌合溝に嵌め込まれる。配管コネクタの格納部は末端が環状パッドに当接する。配管コネクタは固定部によって排水管に固定される。配管コネクタの格納部は排水管の格納溝内に据えられ、環状パッドおよび弁機構の環状底部を排水管の格納溝の底面に押さえる。【選択図】図５
0003204270.tif 000002
【実用新案登録請求の範囲】
【請求項１】
排水管、配管コネクタ、オイルシール、弁機構および環状パッドを備え、
前記排水管は、中央に形成された第一通路と、一端の内径が拡張されて形成した格納溝と、前記格納溝の底部に形成された底面とを有し、前記底面は一部分が中空状を呈し、前記第一通路に繋がり、
前記配管コネクタは、長形を呈し、前記配管コネクタを貫通する第二通路と、中央に形成された固定部と、一端に形成された連結部と、他端に形成された格納部と、前記格納部に対応する前記第二通路の内壁に環状に形成された嵌合溝とを有し、
前記オイルシールは、前記配管コネクタの前記格納部の表面と前記排水管の前記格納溝の壁面との間に当接し、
前記弁機構は、環状底部と、前記環状底部から上に伸びて形成された柱部とを有し、前記柱部は伸びながら、厚みが末端へ漸減し、かつ前記末端に形成された隙間と、環状に形成されたリブ状突起とを有し、
前記環状パッドは、前記弁機構の前記柱部に被さり、前記弁機構の前記環状底部と前記リブ状突起との間に位置付けられ、
前記弁機構は、前記柱部によって前記配管コネクタの前記第二通路に入り込み、前記リブ状突起によって前記配管コネクタの前記嵌合溝に嵌め込まれ、
前記配管コネクタの前記格納部は、末端が環状パッドに当接し、
前記配管コネクタは、前記固定部によって前記排水管に固定され、
前記配管コネクタの前記格納部は、前記排水管の前記格納溝内に据えられ、前記環状パッドおよび前記弁機構の前記環状底部を前記排水管の前記格納溝の前記底面に押さえることを特徴とする、
排水装置の逆流防止構造。
【請求項２】
前記配管コネクタの前記格納部は、表面にオイルシール溝を有し、前記オイルシールは前記オイルシール溝に嵌め込まれることを特徴とする請求項１に記載の排水装置の逆流防止構造。
【請求項３】
前記排水管は、さらに嵌合板を有し、前記配管コネクタの前記固定部は相互に一定の距離を置く二つの環状板体から構成され、前記嵌合板は二つの前記環状板体の間に嵌め込まれることによって前記配管コネクタを前記排水管に固定することを特徴とする請求項１に記載の排水装置の逆流防止構造。
【請求項４】
前記排水管は、さらに抑制機構を有し、前記抑制機構は前記配管コネクタの前記固定部の一つの前記環状板体を抑制することによって前記配管コネクタの前記格納部を前記排水管の前記格納溝内に維持することを特徴とする請求項３に記載の排水装置の逆流防止構造。
【請求項５】
前記抑制機構は、板状を呈し、前記排水管はさらに複数のフック部を有し、前記抑制機構は前記フック部によって前記排水管に着脱可能なように装着されることを特徴とする請求項４に記載の排水装置の逆流防止構造。
【考案の詳細な説明】
【技術分野】
【０００１】
本考案は、排水技術、詳しくは排水装置の逆流防止構造に関するものである。
【背景技術】
【０００２】
特許文献１により提示された先行技術の逆流防止構造は、送水ハウジングと排水ハウジングとの間に中空弾性体を配置し、送水ハウジングと排水ハウジングとの間に中空弾性体のヘッド部を挟んで固定する。該案は一端が水源に連結され、他端が排出管に連結されることによって逆流防止効果を生じる。
【０００３】
しかしながら、上述した先行技術を応用してみると、排水ハウジングに連結された排出管が捻じれる可能性が常にあり、それに連動して排水ハウジングが回転することが原因でしばしば送水ハウジングと排水ハウジングとの間に挟まれた中空弾性体のヘッド部を強制的に回転させるという状況が生じる。上述した状況が持続すれば中空弾性体のベッド部が緩くなるか、固定状態から逸脱するという問題が発生する。
一方、水流量が比較的多い場合であれば、中空弾性体が水流とともに排水ハウジングの外部に流出するか排水ハウジングに詰まってしまうという問題が発生する。従って、中空弾性体の固定方式には改善の余地がある。
【先行技術文献】
【特許文献】
【０００４】
【特許文献１】台湾実用新案Ｍ４３８５６９号公報
【考案の概要】
【考案が解決しようとする課題】
【０００５】
本考案は、先行技術に比べて弁機構の固定効果が優れた排水装置の逆流防止構造を提供することを主な目的とする。
【０００６】
本考案は、配管コネクタの回転に伴って弁機構が回転する事態を抑制できる排水装置の逆流防止構造を提供することをもう一つの目的とする。
【課題を解決するための手段】
【０００７】
上述した課題を解決するための排水装置の逆流防止構造は、排水管、配管コネクタ、オイルシール、弁機構および環状パッドを備える。排水管は中央に形成された第一通路と、一端の内径が拡張されて形成した格納溝と、格納溝の底部に形成された底面とを有する。底面は一部分が中空状を呈し、第一通路に繋がる。配管コネクタは長形を呈し、配管コネクタを貫通する第二通路と、中央に形成された固定部と、一端に形成された連結部と、他端に形成された格納部と、格納部に対応する第二通路の内壁に環状に形成された嵌合溝とを有する。オイルシールは配管コネクタの格納部の表面と排水管の格納溝の壁面との間に当接する。弁機構は環状底部と、環状底部から上に伸びて形成された柱部とを有する。柱部は伸びながら、厚みが末端へ漸減し、かつ末端に形成された隙間と、環状に形成されたリブ状突起とを有する。環状パッドは弁機構の柱部に被さり、弁機構の環状底部とリブ状突起との間に位置付けられる。弁機構は柱部によって配管コネクタの第二通路に入り込み、リブ状突起によって配管コネクタの嵌合溝に嵌め込まれる。配管コネクタの格納部は末端が環状パッドに当接する。配管コネクタは固定部によって排水管に固定される。配管コネクタの格納部は排水管の格納溝内に据えられ、環状パッドおよび弁機構の環状底部を排水管の格納溝の底面に押さえる。
【考案の効果】
【０００８】
上述した構造により、先行技術に優れた固定効果を弁機構に果たし、配管コネクタが外力によって回転すると同時に弁機構を回転させるという事態を抑制することができる。  
【図面の簡単な説明】
【０００９】
【図１】本考案の一実施形態による排水装置の逆流防止構造を示す斜視図である。
【図２】本考案の一実施形態による排水装置の逆流防止構造を示す分解図である。
【図３】本考案の一実施形態による排水装置の逆流防止構造を示す平面図である。
【図４】図３中の４−４線に沿った断面図である。
【図５】図４に示した部分の分解図である。
【図６】本考案の一実施形態による排水装置の逆流防止構造を作動させる状態を示す断面図である。
【考案を実施するための形態】
【００１０】
以下、本考案による排水装置の逆流防止構造を図面に基づいて説明する。
【００１１】
（一実施形態）
図１から図５に示すように、本考案の一実施形態による排水装置の逆流防止構造１０は、排水管１１、配管コネクタ２１、オイルシール３１、弁機構４１および環状パッド５１を備える。
【００１２】
排水管１１は、中央に形成された第一通路１２と、一端の内径が拡張されて形成された格納溝１４と、格納溝１４の底部に形成された底面１４１とを有する。底面１４１は一部分が中空状を呈し、第一通路１２に繋がる。
【００１３】
配管コネクタ２１は、長形を呈し、配管コネクタ２１を貫通する第二通路２２と、中央に形成された固定部２４と、一端に形成された連結部２６と、他端に形成された格納部２８と、格納部２８に対応する第二通路２２の内壁に環状に形成された嵌合溝２８１とを有する。
【００１４】
オイルシール３１は、配管コネクタ２１の格納部２８の表面と排水管１１の格納溝１４の壁面との間に当接する。本実施形態において、配管コネクタ２１の格納部２８は表面にオイルシール溝２８４を有する。オイルシール３１はオイルシール溝２８４に嵌め込まれる。
【００１５】
弁機構４１は、環状底部４２と、環状底部４２から上に伸びて形成された柱部４４とを有する。柱部４４は伸びながら、厚みが末端へ漸減し、かつ末端に形成された隙間４６と、環状に形成されたリブ状突起４４１とを有する。
【００１６】
環状パッド５１は、弁機構４１の柱部４４に被さり、弁機構４１の環状底部４２とリブ状突起４４１との間に位置付けられる。
【００１７】
弁機構４１は、柱部４４によって配管コネクタ２１の第二通路２２に入り込み、リブ状突起４４１によって配管コネクタ２１の嵌合溝２８１に嵌め込まれる。配管コネクタ２１の格納部２８は末端が環状パッド５１に当接する。配管コネクタ２１は固定部２４によって排水管１１に固定される。配管コネクタ２１の格納部２８は排水管１１の格納溝１４内に据えられ、環状パッド５１および弁機構４１の環状底部４２を排水管１１の格納溝１４の底面１４１に押さえる。
【００１８】
本実施形態は、固定部２４によって配管コネクタ２１を排水管１１に固定する方式を採用するが、これに限らず、ねじまたは嵌合による固定方法を採用してもよい。ねじによる固定方法、即ち周知の方法を採用する場合、配管コネクタ２１は排水管１１に相対して回転できない。嵌合による固定方法を採用する場合、図１から図５に示すように、排水管１１に嵌合板１６を増設し、相互に一定の距離を置く二つの環状板体２４１から配管コネクタ２１の固定部２４を構成する。続いて、二つの環状板体２４の間に嵌合板１６を嵌め込むことによって配管コネクタ２１を排水管１１に固定する。
一方、排水管１１はさらに抑制機構１８を有する。抑制機構１８は配管コネクタ２１の固定部２４の一つの環状板体２４１を抑制することによって配管コネクタ２１の格納部２８を排水管１１の格納溝１４内に維持する。抑制機構１８は板状を呈する。本実施形態は排水管１１に複数のフック部１９を増設することができる。抑制機構１８はフック部１９によって排水管１１に着脱可能なように装着される。
【００１９】
以上は本実施形態の構築についての説明である。続いて、本実施形態の作動状態を図４から図６に基づいて説明する。
【００２０】
図６に示すように、組み立てが完了した後、配管コネクタ２１の連結部２６は排出管９１に連結される。水を排出する際、水は駆動装置（図中未表示）によって排水管１１の第一通路１２から配管コネクタ２１の第二通路２２に流れ込み、続いて弁機構４１の隙間４６から連結部２６を通って排出管９１に流れ込み、外部へ排出される。このとき弁機構４１は逆流防止効果を果たす。
【００２１】
本考案により提示された技術特徴は下記の効果を達成できる。
配管コネクタ２１は固定部２４によって排水管９１に固定される。配管コネクタ２１の格納部２８は排水管１１の格納溝１４内に据えられる。環状パッド５１は配管コネクタ２１の格納部２８の末端に押さえられる。弁機構４１の環状底部４２は環状パッド５１に押さえられる。
上述した押さえ方により、排出管９１を装着し、作動させる際、排出管９１は排水管１１に相対して回転すると同時に配管コネクタ２１を回転させる。このとき配管コネクタ２１は環状パッド５１に相対して回転するが、弁機構４１の環状底部４２はそれにけん引され、回転することがない。上述したとおり、本考案は弁機構４１が外部に連結された排出管９１に連動して回転するという事態を抑制できるため、弁機構４１を回転させ、固定状態から逸脱させるという問題を防止できる。
【００２２】
一方、弁機構４１は表面に形成されたリブ状突起４４１が配管コネクタ２１の嵌合溝２８１に嵌め込まれることによって固定関係を確保できるため、水流によって生じた推力を受けてもあまり動かない。
以上のとおり、弁機構４１の固定効果は先行技術に比べ優れていることが判明した。
【符号の説明】
【００２３】
１０    排水装置の逆流防止構造  
１１    排水管  
１２    第一通路  
１４    格納溝  
１４１  底面  
１６    嵌合板  
１８    抑制機構  
１９    フック部  
２１    配管コネクタ  
２２    第二通路  
２４    固定部  
２４１  環状板体  
２６    連結部  
２８    格納部  
２８１  嵌合溝  
２８４  オイルシール溝  
３１    オイルシール  
４１    弁機構  
４２    環状底部  
４４    柱部  
４４１  リブ状突起  
４６    隙間  
５１    環状パッド  
９１    排出管
【図１】
0003204270.tif 000003
【図２】
0003204270.tif 000004
【図３】
0003204270.tif 000005
【図４】
0003204270.tif 000006
【図５】
0003204270.tif 000007
【図６】
0003204270.tif 000008